(57)【特許請求の範囲】
【請求項１】
入力されたシンボルデータとテキストデータとを表示する表示器、
ハンドルを有するシンボルデータとして前記表示器に入力され前記表示器に表示されたシンボルと、このシンボルに連携したハンドルを有するテキスト文字列データとして前記表示器に入力され、前記表示器上の前記シンボルの近くに表示されたテキスト文字列とを含むＣＡＤ図面、
前記表示器の画面上で前記シンボルと前記テキスト文字列との間を手入力により第１の線分で接続する線分設定手段、
前記シンボルに接続された前記第１の線分の他端にある前記テキスト文字列のハンドルを、前記シンボルの属性情報として登録する第１のテキスト文字列・シンボル連携処理ツール、
前記シンボルの属性情報とこのシンボルのハンドルを含むテキスト形式のシンボル情報一覧データ、及び、前記テキスト文字列データとそのハンドルとを含むテキスト形式のテキスト情報一覧データとを抽出する画面情報抽出ツール、
前記シンボル情報一覧データと前記テキスト情報一覧データとから、前記シンボルと前記テキスト文字列との関連づけを表すデータベースを作成するデータベース変換ツール、
前記データベースを前記ＣＡＤ図面に連携させるＣＡＤ図面／データベース連携手段を備えたことを特徴とするＣＡＤ図面／データベース連携システム。
【請求項２】
前記作成されたデータベースに従い、前記シンボルと、このシンボルに対応する前記テキスト文字列との間に第２の線分を設定し、前記シンボルの表示位置と前記テキスト文字列の表示位置にかかわらず、前記第１の線分に代えて前記第２の線分を前記表示器上に表示するテキスト文字列・シンボル連携状態表示ツールを備えたことを特徴とする請求項１に記載のＣＡＤ図面／データベース連携システム。
【請求項３】
入力されたシンボルデータとテキストデータを表示する表示器、
ハンドルを有するシンボルデータとして前記表示器に入力され前記表示器に表示されたシンボルと、このシンボルに連携したハンドルを有するテキスト文字列データとして前記表示器に入力され、前記表示器上の前記シンボルの近くに表示されたテキスト文字列とを含むＣＡＤ図面、
前記表示器の画面上であらかじめ定めたルールに従い前記シンボルを包含する所定の大きさの仮想ウィンドウを設定し、この仮想ウインドウ内に前記テキスト文字列がない場合は、前記仮想ウインドウの大きさを大きくする仮想ウィンドウ設定手段、
前記仮想ウインドウ内に表示された前記テキスト文字列のハンドルを、前記シンボルの属性情報として登録する第２のテキスト文字列・シンボル連携処理ツール、
前記シンボルの属性情報とこのシンボルのハンドルとを含むテキスト形式のシンボル情報一覧データと、前記テキスト文字列データとこのテキスト文字列データのハンドルとを含むテキスト形式のテキスト情報一覧データとを抽出する画面情報抽出ツール、
前記シンボル情報一覧データと前記テキスト情報一覧データから、前記シンボルと前記テキスト文字列とを関連づけるデータベースを作成するデータベース変換ツール、
前記データベースと前記ＣＡＤ図面とを連携させるＣＡＤ図面／データベース連携手段とを備えたことを特徴とするＣＡＤ図面／データベース連携システム。
【請求項４】
前記作成されたデータベースに従い、前記シンボルと、このシンボルに対応する前記テキスト文字列との間に第２の線分を設定し、前記シンボルの表示位置と前記テキスト文字列の表示位置にかかわらず、前記仮想ウィンドウに代えて前記第２の線分を前記表示器上に表示するテキスト文字列・シンボル連携状態表示ツールを備えたことを特徴とする請求項３に記載のＣＡＤ図面／データベース連携システム。
【請求項５】
前記ＣＡＤ図面／データベース連携手段は、前記データベースと前記ＣＡＤ図面とを連携させることにより、前記表示器の画面上の前記シンボルに対するアクセスと、前記テキスト文字列に対するアクセスとを同格に取り扱えるようにしたことを特徴とする請求項１、又は３に記載のＣＡＤ図面／データベース連携システム。
【請求項６】
請求項１乃至５のいずれか一項に記載のＣＡＤ図面／データベース連携システムを用いた系統隔離支援システム。
【発明の詳細な説明】
【０００１】
【発明の属する技術分野】
この発明は、ＣＡＤ（Ｃｏｍｐｕｔｅｒ Ａｉｄｅｄ Ｄｅｓｉｇｎ）図面化された系統図において、シンボルとシンボルの機器番号または名称を表すテキストデータとの間に連携をとる、ＣＡＤ図面／データベース連携システムに関するものである。
【０００２】
【従来の技術】
図９は、一般的なＣＡＤ図面である系統図を使用して系統隔離を設定する方法を説明するための図である。ここで系統隔離は本発明を説明するための１つの応用例として説明するものであり、本発明は系統隔離作業にとどまらず広く一般のプラントの保守メンテナンス作業に用いることができるものである。
図９において、１はＣＡＤ入力された系統図であり、１３はＣＡＤ図面１を紙に出力した系統図である。１３ａ、１３ｂは機器の設定状態を表した記号であり、例えば○が開操作、×が閉操作を表している。
１４はプラントの機器情報が記載されている紙に出力されたプラントの設備リスト、１５は隔離作業のための作業内容が記載されている作業票である。
【０００３】
次に系統隔離設定作業の流れについて説明する。系統隔離設定作業を開始するに当たっては、まず、紙に出力した系統図１３を用いる、すなわち、紙出力の系統図１３の中に記載されている設備のうち、これから実施する隔離作業に必要な設備を選び出し、記号１３ａ、１３ｂのごとく、隔離する設備の状態を手作業により直接紙出力の系統図１３に書き込む。さらに、その設備の仕様など隔離作業に必要な情報を設備リスト１４より探し出し、紙出力の系統図１３及び設備リスト１４の情報に基づいて手作業により作業票１５を作成する。
【０００４】
以上のように、紙上に出力された状態で利用するため、手作業による隔離設定作業に多大な時間を要していた。この問題を解決する方法として、特開２０００−３１１１８４公報でＣＡＤ図面／データベース連携システムが報告されている。
図１０は上記公報で報告されたＣＡＤ図面／データベース連携システムを示す構成図である。図１０において、１はＣＡＤ入力された系統図であり、このＣＡＤ入力系統図1中には、機器を表すシンボル７と、シンボル７の属性８（この例では機器番号）とが登録されている。属性８は、ここでは機器番号が登録されている例を示しているが、勿論、機器番号に限らず、例えば機器名称が登録されている場合もある。ここで、属性８はそれが機器番号であろうと機器名称であろうと、シンボル７のような絵（グラフィック）ではなく、文字情報なので、テキスト文字列１７として別途入力されている。そしてテキスト文字列１７の各文字データには、それぞれハンドル１６が付与されている。これを図１１（ａ）図のテキスト文字列データ８１に示す。
なお、９は系統図個有の系統図番号である。
【０００５】
また、シンボル７は各シンボル７に個々に割り付けられたハンドル１８、例えば（英数字タグ）とともに、オブジェクトデータ（グラフィックデータ）として、図１１（ａ）図の８２に示すように入力されている。
画面情報抽出ツール２は、ＣＡＤ入力系統図１からシンボルの属性情報として登録してある属性８（機器番号 ＡＡ、ＡＢ、ＡＣ、…）、 及び系統図１内のシンボル個有に割り付けられている英数字タグであるハンドル１８（１０Ａ、１０Ｂ、１０Ｃ、…）を抽出する役割を果たす。図面情報一覧３は画面情報抽出ツール２による結果をテキスト形式に出力したものであり、データベース変換ツール４は図面情報一覧３をデータベースの形に変換するものである。関連データベース５は、データベース変換ツール４によって生成されるもので、５ａは関連付け対象の図面番号、５ｂは画面情報抽出ツール２によって抽出されたシンボルの機器番号、５ｃは画面情報抽出ツール２によって抽出されたシンボルのハンドルである。リンク６はＣＡＤ入力系統図１と関連付けデータベース５とを連携させる手段である。
【０００６】
次に、ＣＡＤ図面／データベース連携システムの動作について説明するが、その前に、機器番号の登録方法について説明する。テキストデータ８１（ハンドル１６とテキスト文字列１７）は、必要なとき、例えばメンテナンスや系統隔離作業の実施時に、画面に、例えば表８１のような形式で表示させることができる。
しかし、テキスト文字列１７の例えば文字データ「ＡＡ」がオブジェクトデータ列７のどのオブジェクトの番号であるかということは、自動的にはわからないので、人が判断した上で、例えば、１０Ａのシンボルの番号なら、そのシンボルの間近の位置に機器番号ＡＡを設定（貼り付け）する。この作業をすべてのシンボルについて実行することにより、ＣＡＤ図面１上に機器番号が表示される。理解を助けるため図１１（ｂ）にこの人手作業により実行する処理をデータ表にしたものを示す。画面上で機器番号をシンボルの間近に貼り付けることは、シンボルデータ列８２のシンボル属性情報８の欄に機器番号を書き込むことと、類似している。
【０００７】
ＣＡＤ図面／データベース連携システムの動作は、まず、機器シンボル７，機器シンボル７の属性情報８に機器番号を表示して作成したＣＡＤ入力系統図１に基づいて、画面情報抽出ツール２によって、系統図１内でシンボルの個有タグとして割り付けてあるハンドル１８（１０Ａ、１０Ｂ、１０Ｃ、…）と、このシンボルの間近の属性情報８の貼り付け位置に登録してあるテキストデータ１７（機器番号 ＡＡ、ＡＢ、ＡＣ、…）とを自動抽出し、テキスト形式の図面情報一覧３を作成する。次に、データベース変換ツール４によって、テキスト形式の図面情報一覧３をデータベース形式である関連付けデータベース５に自動変換する。ここで生成された関連付けデータベース５中のシンボルのハンドル５ｃは、図面番号５ａで示される系統図内のシンボル（オブジェクト）個有の文字列を表している。したがって、ハンドル５Ｃを用いることで、ＣＡＤ入力系統図１と関連付けデータベース５の連携機能を可能とする。以上からハンドル５ｃを使用してＣＡＤ入力系統図１と関連付けデータベース５とを連携することにより、 ＣＡＤ入力された系統図及び関連付けデータベース５を用いて系統隔離作業を自動で行える。
【０００８】
【発明が解決しようとする課題】
従来の系統隔離は、以上のような作業の流れによって実施されおり、ＣＡＤ入力系統図とデータベースの連携により自動化されるが、その前提条件としてＣＡＤ入力系統図上のシンボルに属性情報として機器番号が予め設定されている必要がある。すなわち、ＣＡＤ図上の機器番号は、テキスト文字列データであるため、シンボル記号（オブジェクト）とは別途に入力された機器番号テキスト文字列から抽出されて表示される仕組みになっているため、自動的には、どのテキストデータがどのオブジェクトに対応するのかはわからず、属性情報である機器番号を設定する作業は、系統図上に表示されている機器番号テキスト文字列を参照し、人間が手入力して、シンボルの属性情報を表示する位置に登録する必要があった。この確認・入力作業に時間がかかる上、人手による作業であるため誤入力の恐れがあり、入力後に機器番号と機器番号テキスト文字列とが一致しているか確認するのに時間がかかるなどの問題があった。更に、系統図を変更したり、図はそのままでも機器番号を変更したりする必要がある場合、属性情報と機器番号テキスト文字列の両方を変更する必要があり２度手間であるという課題があった。
【０００９】
この発明は上記のような課題を解決するためになされたもので、シンボルの属性情報である機器番号と、機器番号テキストを連携させることにより、機器番号テキスト文字列をシンボルとデータベースのリンク情報として利用することを第一の目的としている。
また、シンボルの属性情報である機器番号と、機器番号テキストのリンク情報を自動的に生成することを第二の目的としている。
さらに、シンボルまたはテキスト文字列のいずれか、あるいはその両方の画面上の表示位置を移動しても、シンボルの属性情報である機器番号と、機器番号テキストのリンク状態を表示し容易に確認できるようにすることを第三の目的としている。
【００１０】
【課題を解決するための手段】
この発明によるＣＡＤ図面／データベース連携システムは、ハンドルを有するシンボルデータとして入力され、表示器に表示されたシンボルと、ハンドルを有するテキスト文字列データとして入力され前記表示器の前記シンボルの近くに表示されたテキスト文字列とを含むＣＡＤ図面、
前記表示器の画面上で前記シンボルと前記テキスト文字列との間を第１の線分で接続する線分設定手段、
前記シンボルに接続された前記第１の線分の他端にある前記テキスト文字列のハンドルを、前記シンボルの属性情報として登録する第１のテキスト文字列・シンボル連携処理ツール、
前記シンボルの属性情報とそのハンドルからテキスト形式のシンボル情報一覧データを抽出し、前記テキスト文字列データとそのハンドルからテキスト形式のテキスト情報一覧を抽出する画面情報抽出ツール、
前記シンボル情報一覧と前記テキスト情報一覧から、前記シンボルと前記テキスト文字列とを関連づけるデータベースを作成するデータベース変換ツール、
前記データベースと前記ＣＡＤ図面とを連携させるＣＡＤ図面／データベース連携手段を備えたものである。
【００１１】
また、前記作成されたデータベースに従い、前記シンボルと、このシンボルに対応する前記テキスト文字列との間に第２の線分を設定し、前記シンボルの表示位置と前記テキスト文字列の表示位置にかかわらず、前記第１の線分に代えて前記第２の線分を前記表示器上に表示するテキスト文字列・シンボル連携状態表示ツールを備えたものである。
【００１２】
また、ハンドルを有するシンボルデータとして入力され、表示器に表示されたシンボルと、ハンドルを有するテキスト文字列データとして入力され
前記表示器の前記シンボルの近くに表示されたテキスト文字列とを含むＣＡＤ図面、
前記表示器の画面上であらかじめ定めたルールに従い前記シンボルを包含する仮想ウィンドウを設定する仮想ウィンドウ設定手段、
前記シンボルを包含する前記仮想ウインドウ内またはこの仮想ウィンドウの端から最も近い位置に表示された前記テキスト文字列のハンドルを、前記シンボルの属性情報として登録する第２のテキスト文字列・シンボル連携処理ツール、
前記シンボルの属性情報とそのハンドルからテキスト形式のシンボル情報一覧データを抽出し、前記テキスト文字列データとそのハンドルからテキスト形式のテキスト情報一覧を抽出する画面情報抽出ツール、
前記シンボル情報一覧と前記テキスト情報一覧から、前記シンボルと前記テキスト文字列とを関連づけるデータベースを作成するデータベース変換ツール、
前記データベースと前記ＣＡＤ図面とを連携させるＣＡＤ図面／データベース連携手段とを備えたものである。
【００１３】
また、前記作成されたデータベースに従い、前記シンボルと、このシンボルに対応する前記テキスト文字列との間に第２の線分を設定し、前記シンボルの表示位置と前記テキスト文字列の表示位置にかかわらず、前記仮想ウィンドウに代えて前記第２の線分を前記表示器上に表示するテキスト文字列・シンボル連携状態表示ツールを備えたものである。
【００１４】
この発明の系統隔離支援システムは、上記に記載のＣＡＤ図面／データベース連携システムを用いたものである。
【００１５】
【発明の実施の形態】
実施の形態１．
図１、図２は、この発明の実施の形態１によるＣＡＤ／データベース連携システムを示す構成図、図３は動作を説明するためデータの状態を示す図、図４は動作を説明するフローチャートである。以下の図において、従来と同じまたは相当部分には同符号を付して、その説明は簡略に行う。図２は図１の一部をより詳細に示したものである。
図１において、１ＡはＣＡＤ入力された系統図であり、このＣＡＤ入力系統図中には、機器を表すシンボル７と、シンボル７の属性８としての機器番号とが登録されている。９は系統図１Ａに個有の系統図番号である。データベース５は、データベース変換ツール４ｄによって生成される。５ａは関連付け対象の図面番号、５ｂは画面情報抽出ツール２ｂによって抽出されたシンボルの機器番号、５ｃは画面情報抽出ツール２ｂによって抽出されたシンボルのハンドルである。リンク６はＣＡＤ入力系統図１Ａと関連付けデータベース５とを連携させる連携手段である。
【００１６】
ＣＡＤ入力系統図１Ａにおいて、機器シンボル７の属性情報８には、機器シンボル７と連携させるテキスト文字列のハンドル１６が入力される。この入力の方法については図２〜図４により後述する。
画面情報抽出ツール２ｂは、ＣＡＤ入力系統図１Ａからシンボルの属性情報８（入力されているテキスト文字列のハンドル１６である１１Ａ、１１Ｂ、１１Ｃ）、 及び系統図内の機器シンボル７に個有に割り付けられている英数字タグであるハンドル１８（１０Ａ、１０Ｂ、１０Ｃ）を抽出し、シンボル情報一覧３ｂを生成するものである。同時に、機器番号であるテキスト文字列１７（ ＡＡ、ＡＢ、ＡＣ）、 及びテキスト個有に割り付けられている英数字タグであるハンドル１６（１１Ａ、１１Ｂ、１１Ｃ）を抽出し、テキスト情報一覧３ｃをも生成する。
データベース変換ツール４ｄは、シンボル情報一覧３ｂとテキスト情報一覧３ｃから関連データベース５を生成するものである。
【００１７】
次に動作について説明する。
まず、前述したように、ＣＡＤ入力系統図１Ａにおいて、機器シンボル７の属性情報８には、機器シンボル７と連携させるテキスト文字列のハンドル１６が、図２、図３に示したような、後に説明する手順で入力される。
次に、画面情報抽出ツール２ｂにより、シンボル情報一覧３ｂ及び、テキスト情報一覧３ｃが生成される。ここで生成されたシンボル情報一覧３ｂには、属性情報８＝連携するテキスト文字列のハンドル１６ （１１Ａ、１１Ｂ、１１Ｃ）及び機器シンボルのハンドル１８（１０Ａ、１０Ｂ、１０Ｃ） が抽出され、テキスト情報一覧３ｃには、テキスト文字列１７＝機器番号（ ＡＡ、ＡＢ、ＡＣ）及びテキスト文字列のハンドル１６（１１Ａ、１１Ｂ、１１Ｃ）が抽出される。データベース変換ツール４ｄは、シンボル情報一覧３ｂとテキスト情報一覧３ｃに共通するテキスト文字列のハンドル１６をキーにして、機器番号１７と機器シンボル７のハンドル１８を関連付け、結果を関連データベース５に出力する。
以上により、テキスト文字列１７をデータベース５とのリンク情報として利用することが可能となる。
【００１８】
機器シンボル７の属性情報８に、機器シンボル７と連携させるテキスト文字列のハンドル１６を入力する方法について、図２〜図４により説明する。
図２において、１Ａ〜１８は図１と同様のものであるので説明は省略する。１９は連携させる機器シンボル７とテキスト文字列１７とを結ぶ第１の線分、２０は第１の線分１９に接続する機器シンボルとテキスト文事列を検索することにより、シンボル属性８に連携するテキスト文字列のハンドル１６を自動設定する第１のテキスト文字列・シンボル連携処理ツール（連携先を線分で指定）である。
第１の線分１９を設定するための装置（ソフト）を線分設定手段という。
【００１９】
次に図２の第１のテキスト文字列・シンボル連携処理ツール２０の動作について図３，図４により説明する。図２の他の部分は図１と同じなので他の部分の動作の説明は省略する。
図４のステップＳＴ０１で、機器シンボル７とテキスト文字列１７をＣＡＤ図１Ａ上で、手入力により第１の線分１９で結ぶ。理解を助けるため、図３に第１の線分１９でシンボル７と機器番号とを結ぶことの意義を説明すると、図３に示すように線分１９により、どのシンボルと、どの機器番号とが対応するのかがデータとして示される。したがってこの線分によりシンボルに対応する機器番号のハンドル１６が、シンボル属性８の欄に自動的に読み込まれるようになるのである。
【００２０】
次に、第１のテキスト文字列・シンボル処理連携ツール（連携先を線分で指定）２０が図４のフローステップＳＴ０２〜ＳＴ０４を実行する。
即ち、ステップＳＴ０２で
１）第１の線分１９の一方の端点上またはその間近にテキスト文字列がないか検索し、
テキスト文字列がある場合は、テキスト文字列のハンドル１６（図２では１１Ｃ）を  取得する。
次にステップＳＴ０３で
２）第１の線分１９の他方の端点上またはその間近に機器シンボルがないか検索し、機  器シンボルがある場合は、１）で取得したテキスト文字列のハンドルを、シンボル属  性情報８に設定する。
以上により、機器シンボル７とテキスト文字列１７のリンク情報が自動的に設定される。
第１の線分１９で結ぶ作業は自動化されていないが、きわめて単純な作業で間違いを起こすことも少なく、作業効率が向上する。第１の線分１９を設定する作業は、従来の図１０における機器番号の書き込み作業を、第１の線分１９の設定に置き換えただけのものではない。なぜなら機器番号を書き込む場合には番号の書き間違いが生じるが、本実施の形態によれば、少なくとも番号は第１の線分１９に従って自動的に書き写されるから間違いは生じない。
【００２１】
実施の形態２．
図５は、この発明の実施の形態２によるＣＡＤ／データベース連携システムを示す構成図、図６はその動作を説明するフローチャートである。
図５において、１Ｂは本実施の形態のＣＡＤ入力された系統図、２〜１８は実施の形態１と同様のものであり、説明は省略する。２１は機器シンボル７を中心として設定した仮想ウインドウ、２２は仮想ウインドウ２１に含まれるテキスト文字列１７を検索することにより、 シンボル属性８に、連携するテキスト文字列のハンドルを自動設定する第２のテキスト文字列・シンボル連携処理ツール（自動抽出ツール）である。仮想ウィンドウを設定するための装置部分（ソフト）を仮想ウインドウ設定手段という。
【００２２】
次に動作について説明する。
第２のテキスト文字列・シンボル処理連携ツール（自動抽出）２２が以下の処理を実行する。
図６のステップＳＴ６１で機器シンボル７を中心に、シンボルに外接する長方形の領域で仮想ウィンドウ２１を作成する。これは、あらかじめオブジェクトの輪郭を包含する長方形を定義付けすることで自動化することができる。
ステップＳＴ６２で
２）仮想ウィンドウ２１上にテキスト文字列１７がないか検索する。
１）−１仮想ウィンドウ２１上にテキスト文字列がある場合は、テキスト文字列の
ハンドル１６を取得する。
２）−２仮想ウィンドウ上にテキスト文字列がない場合は、仮想ウィンドウ２１の
サイズを拡大し、２）を繰り返すことにより、仮想ウィンドに最も近いテキスト文
字列を読み出す。
ステップＳＴ６３で
３）２）−１または２で取得したテキスト文字列のハンドルを、シンボル属性情報８
に設定する。
以上により、人間がオブジェクト単位で、何らかの作業を実行することなく、シンボル７とテキスト文字列１７のリンク情報が自動的に設定される。
【００２３】
実施の形態３．
図７は、この発明の実施の形態３によるＣＡＤ／データベース連携システムを示す構成図、図８は動作フローを示すフローチャートである。
実施の形態１では、図２の第１の線分１９を手作業により設定したので、ＣＡＤ図の修正の度に、やり直さなければならない。そこで本実施の形態では、一度手入力した後は、自動的に線分が形成されるものについて説明する。
図７において、１Ｃは本実施の形態によるＣＡＤ入力された系統図、２〜１８は実施の形態１と同様のものであり説明は省略する。２３は機器シンボル７とテキスト文字列１７の連携状態を示す第２の線分、２４はシンボル属性８から連携するテキスト文字列１７を検索し、機器シンボルと連携するテキスト文字列とを結ぶ第２の線分２３を表示するテキスト文字列・シンボル連携状態表示ツールである。
【００２４】
次に動作について説明する。
テキスト文字列・シンボル連携状態表示ツール２４は以下の処理を実行する。
ステップＳＴ８１で
１）まず、実施の形態１の方法で、（手入力により線分１９を設定）シンボル属性情報  ８にテキスト文字列のハンドル１６を設定する。次に、シンボル属性情報８から連携先  テキスト文字列のハンドル１６を取得する。
ステップＳＴ８２で
２）シンボルの中心座標から、１）で検索した:連携先テキストの中心座標へ連携状態  を示す第２の線分２３を表示する。このとき先に設定した第１の線分１９は消去され  る。
以上により、シンボルとテキスト文字列のリンク状態を示す連携状態線分が表示される。連携状態を示す第２の線分２３は、連携情報より動的に作成するため、機器シンボル７またはテキスト文字列１７の表示位置が変更され移動しても、常に、連携しあう機器シンボル７とテキスト１７を結ぶように自動的に表示される。
本実施の形態の第２の線分２３は実施の形態２の場合にも利用することができる。
【００２５】
関連技術１．
実施の形態１の図２において、第１の線分１９を設定せずに、手入力でシンボルの属性情報８にテキスト文字列のハンドル１６を入力してもよい。シンボルに対応するテキスト文字列のハンドルを、シンボルの属性情報として手入力により登録するための手段を登録処理ツールという。
この場合、手入力作業が解消されていないが、それでも、以後の画面情報抽出ツール２ｂ〜データベース変換ツール４ｄ〜関連づけデータベース５に至る作業の自動化や、実施の形態３の自動化により、従来よりも大幅に作業効率を向上することができる。なお、実施の形態１〜４のＣＡＤ図面／データベース連携システムは従来例に説明した系統隔離支援システムに利用できることは言うまでもない。
【００２６】
【発明の効果】
以上に説明したように、この発明のＣＡＤ図面／データベース連携システムは、シンボルとテキスト文字列との間を第１の線分で接続する線分設定手段と、第１の線分の両端にあるシンボルの属性情報として、線分の他端にあるテキスト文字列のハンドルを登録する第１のテキスト文字列・シンボル連携処理ツールを備えているので、線分を設定しさえすれば、シンボルとテキスト文字列との連携データが自動的に作成されるという効果が得られる。
【００２７】
また、テキスト文字列・シンボル連携状態表示ツールを用いて、シンボルとこのシンボルに対応するテキスト文字列との間に第２の線分を設定するようにしたので、シンボルまたはテキスト文字列の画面上での配置位置が変更になっても、線分による関係づけは変わらないという効果が得られる。
【００２８】
また、シンボルを包含する仮想ウィンドウを設定し、このウィンドウに含まれるテキスト文字列のハンドルを、シンボルの属性情報として登録する第２のテキスト文字列・シンボル連携処理ツールを備えているので、シンボルとテキスト文字列との連携データが自動的に作成されるという効果が得られる。
【００２９】
また、ＣＡＤ図面／データベース連携手段が、データベースとＣＡＤ図面とを連携させることにより、シンボルに対するアクセスと、テキスト文字列に対するアクセスとを同じものとして取り扱えるようにしたので、操作性が向上し、また、ＣＡＤ図面の変更に於いても、手間が省けるという効果が得られる。
【００３０】
この発明の系統隔離支援システムは、上記のＣＡＤ図面／データベース連携システムを用いたので、系統隔離設定作業を容易に実行できるという効果が得られる。
【図面の簡単な説明】
【図１】  この発明の実施の形態１によるＣＡＤ図面／データベース連携システムを示す構成図である。
【図２】  図１の一部を詳細に示すＣＡＤ図面／データベース連携システムを示す構成図である。
【図３】  図２の動作を説明するためのデータ形態説明図である。
【図４】  図２の動作を説明するためのフローチャートである。
【図５】  この発明の実施の形態２によるＣＡＤ図面／データベース連携システムを示す構成図である。
【図６】  図５の動作を説明するためのフローチャートである。
【図７】  この発明の実施の形３によるＣＡＤ図面／データベース連携システムを示す構成図である。
【図８】  図７の動作を説明するためのフローチャートである。
【図９】  従来の系統隔離作業を説明する説明図である。
【図１０】  従来のＣＡＤ図面／データベース連携システムの構成図である。
【図１１】  図１０の動作を説明するためのデータ形態説明図である。
【符号の説明】
１Ａ、１Ｂ、１Ｃ：ＣＡＤ入力系統図、
２，２ｂ：画面情報抽出ツール、    ３：テキスト形式の図面情報一覧、
３ｂ：テキスト形式のシンボル情報一覧、
３ｃ：テキスト形式のテキスト情報一覧、
４，４ｄ：データベース変換ツール、  ５：関連付けデータベース、
６：系統図／関連付けデータベース連携機能、
７：機器シンボル、    ８：シンボルの属性情報、    ９：系統図番号、
１３：紙化した系統図、    １３ａ：機器設定状態、
１３ｂ：機器設定状態、    １４：紙化した設備データベース（機器リスト）、
１６：テキスト文字列のハンドル、    １７：テキスト文字列、
１８：機器シンボルのハンドル、    １９：第１の線分、
２０：第１テキスト文字列・シンボル連携処理ツール、
２１：仮想ウィンドウ、
２２：第２テキスト文字列・シンボル連携処理ツール、
２３：第２の線分、
２４：テキスト文字列・シンボル連携状態表示ツール。
【図１】
0003856668.tif 000002
【図２】
0003856668.tif 000003
【図３】
0003856668.tif 000004
【図４】
0003856668.tif 000005
【図５】
0003856668.tif 000006
【図６】
0003856668.tif 000007
【図７】
0003856668.tif 000008
【図８】
0003856668.tif 000009
【図９】
0003856668.tif 000010
【図１０】
0003856668.tif 000011
【図１１】
0003856668.tif 000012